(57)【要約】特別設計のアイウェア・システムが提供される。フレームまたはクリップ・エレメントは、レンズ用開口を形成するためにマルチフィラメント・ケーブルを使用する。このケーブルは、可撓性でありかつ強いので、組み立て中簡単にレンズ・エレメントに巻きつけることができる。ケーブルをレンズ・エレメントに巻きつけたら、レンズの周りでのケーブルのかみ合いを維持するためにさまざまなタイプのロッキング・ユニットまたはアセンブリを使用することができる。
2005537522.tif 000002
【特許請求の範囲】
【請求項１】
任意のサイズ、形状または寸法の外周を有する少なくとも１つのアイウェア・レンズと、前記少なくとも１つのレンズ外周に巻きつけるためのマルチフィラメント・ケーブルと、前記外周にしっかり巻きつけられる前記ケーブルを維持するためのロッキング・メカニズムとを備えているアイウェア・システム。
【請求項２】
前記少なくとも１つのレンズの前記外周は、そこに沿って前記ケーブルがぴったりと受け入れられる溝が形成される端部を有していることを特徴とする請求項１に記載のシステム。
【請求項３】
前記ケーブルは、金属または合金で作られていることを特徴とする請求項１に記載のシステム。
【請求項４】
前記ケーブルは、ナイロン、ポリマー、樹脂、天然ケーブル及び光ファイバ材料を含むグループから選択される材料で作られることを特徴とする請求項１に記載のシステム。
【請求項５】
前記ケーブルは、０．１ｍｍから３．０ｍｍまでの厚さ有していることを特徴とする請求項１に記載のシステム。
【請求項６】
前記ケーブルは、０．１ｍｍから０．６ｍｍまでの厚さを有していることを特徴としている請求項５に記載のシステム。
【請求項７】
前記ケーブルは、ケーシングの中に保持される複数のフィラメントを備えていることを特徴とする請求項１に記載のシステム。
【請求項８】
前記アイウェア・システムは、眼鏡クリップ・アセンブリであることを特徴とする請求項１に記載のシステム。
【請求項９】
前記アイウェア・レンズは１対の眼鏡つるを備えており、前記少なくとも１つのアイウェア・レンズは１対のアイウェア・レンズを備えていることを特徴とする請求項１に記載のシステム。
【請求項１０】
さらに、前記レンズの間に配置されるノーズブリッジまたはテンションバーを含んでいることを特徴とする請求項９に記載のシステム。
【請求項１１】
第一のマルチフィラメント・ケーブルは前記レンズのうち一方の外周に巻きつけられており、第二のマルチフィラメント・ケーブルは前記レンズのうち他方の外周に巻きつけられていることを特徴とする請求項１０に記載のシステム。
【請求項１２】
第一のロッキング・メカニズムは前記レンズのうち一方の外周の周りの前記第一のケーブルを維持し、第二のロッキング・メカニズムはレンズのうち他方の外周の周りの第二のケーブル維持することを特徴とする請求項１１に記載のシステム。
【請求項１３】
前記ロッキング・メカニズムのうち少なくとも一方は、前記ノーズブリッジまたはテンションバーに沿って或いはその付近に配置されていることを特徴としている請求項１２に記載のシステム。
【請求項１４】
前記ロッキング・メカニズムのうち少なくとも一方は、前記眼鏡のつるのうちの１つに沿って或いはその付近に配置されていることを特徴とする請求項１２に記載のシステム。
【請求項１５】
前記接続される眼鏡のつるのうち少なくとも一方は、その一端でヒンジ・エレメントによって前記第一及び第二のマルチフィラメント・ケーブルのうち一方に接続されることを特徴とする請求項１４に記載のシステム。
【請求項１６】
前記ヒンジ・エレメントは前記ロッキング・メカニズムを組み込んでいることを特徴としている請求項１５に記載のシステム。
【請求項１７】
前記ロッキング・メカニズムはねじロッキング・アセンブリを備えていることを特徴とする請求項１に記載のシステム。
【請求項２７】
前記ケーブルは約０．４ｍｍから１．６ｍｍまでの厚さを有していることを特徴とする請求項２４に記載のシステム。
【請求項２８】
前記ケーブルはケーシングの中に保持される複数のフィラメントを備えていることを特徴とする請求項２４に記載のシステム。
【請求項２９】
ノーズブリッジによって接続され且つその中に対応する１対のレンズが受け入れられる１対のレンズ用開口を備えている眼鏡フレーム・アセンブリであって、前記各レンズ用開口が前記対応するレンズに巻きつけられるマルチフィラメント・ケーブルによって形成されていることを特徴とする眼鏡フレーム・アセンブリ。
【請求項３０】
前記レンズの各々は、それに沿って、前記ケーブルがぴったりと受け入れられる溝が形成されている縁を有していることを特徴とする請求項２９に記載のシステム。
【請求項３１】
前記ケーブルは金属または合金で作られていることを特徴とする請求項２９に記載のシステム。
【請求項３２】
前記ケーブルは０．４ｍｍから１．６ｍｍまでの厚さみを有していることを特徴とする請求項２９に記載のシステム。
【請求項３３】
前記ケーブルはケーシングの中に保持される複数のフィラメントを備えていることを特徴とする請求項２９に記載のシステム。
【請求項３４】
さらに、各々前記レンズ用開口のうち一方に旋回可能に取り付けられている１対のイヤピースを含んでいることを特徴とする請求項２９に記載のフレーム・アセンブリ。
【請求項３５】
前記各レンズ用開口は、そこから外向きに伸びており且つ前記対応するイヤピースに旋回可能に接続されているヒンジ部材を有していることを特徴とする請求項３４に記載のフレーム・アセンブリ。
【請求項３６】
前記ケーブルは、ナイロン、ポリマー、樹脂及び天然繊維のうちの１つから作られていることを特徴とする請求項２９に記載のフレーム・アセンブリ。
【発明の詳細な説明】
【技術分野】
【０００１】
本発明は、オプトメータ装置、より特定して言うと特注アイウェア・ユニットまたはアセンブリに関するものである。本発明は、特別設計の眼鏡フレームに関するものでもある。
【背景技術】
【０００２】
よく知られているように、何百万と言う人が、視力矯正及び快適さのためにサングラスを含めて眼鏡を着用している。サングラスは、当然、まぶしい光を減じ、着用者の目を覆う。市販のサングラスには様々なデザイン及びスタイルのものがあり、ある種の“ルックス”を創造できることが多い。
【０００３】
視力矯正レンズを必要としない者は、多様な低価格のサングラスを様々な店及び小売チェーンで購入することができる。しかし、近視、遠視またはその他視力の弱い、視力矯正眼鏡を日常的に着用する者は、別個の処方サングラスを必要とし、これは非常に費用がかかる可能性がある。このことは、これまでは、たびたび処方が変わる者にとっては特にそうであり、そのような者は処方が変わるたびに通常の眼鏡だけでなく別個にサングラスも購入しなければならない。
【０００４】
クリップオン・サングラスは、処方サングラスの低コストの選択肢である。一般的に言って、クリップオン・サングラスは、従来の処方アイウェアをサングラスに変換するためにアイウェアに取り付けられるか、さもなければ、「クリップ止め」される。しかし、クリップオン・サングラスは、処方サングラスを購入するよりはずっとコスト効率が良いが、部分的には、通常限られた数のデザイン、サイズ及び形状しか製造されず、個々に着用される眼鏡のレンズのデザインに合うかどうか分からないという理由で、あまり望ましいものではない。
【０００５】
従って、ある人の通常の眼鏡と調整するために特注のデザインのクリップオン・サングラスを提供することが望ましいだろう。
【発明の開示】
【０００６】
一般的に言って、本発明に従って、サングラス・クリップ・アセンブリのような特注のアイウェア・アセンブリが提供されている。このアセンブリは、相対する第一及び第二の端部を有する中央テンションバー並びに各々テンションバーの端部の一方に取り付けられる第一の端部と選択的に対応するロッキング・ユニットに通すことができ且つこれによってロックすることが可能な第二の自由端部とを有する１対の可撓性ワイヤを備えているクリップまたはフレーム・エレメントを含んでいる。ロッキング・ユニットはテンションバーに固定されるか、あるいは眼鏡のつる部材に結合される。各ワイヤは、望まれる形状及びサイズに切り取られるレンズに巻きつけるように設計される。好ましくは、ワイヤはマルチフィラメント・ケーブルワイヤである。
【０００７】
使用に当たり、眼鏡技師は、まず、１対のレンズを用意し、或いはカットする。各ワイヤは切り取られたレンズの一方に巻きつけられる。それから、ワイヤの自由端部は、それがかみ合わされるところの対応するロッキング・アセンブリに通される。組み立てにおいて、余分なワイヤは、ロッキング・アセンブリとかみ合わされた後に切り落とされる。
【０００８】
また、本発明に従って、特別設計のアイウェア・フレームまたは特別設計のクリップ・エレメントが提供されている。フレームまたはクリップ・エレメントは、レンズ用開口を形成するためにマルチフィラメント・ケーブルを使用している。このケーブルは、組み立て中にレンズ・エレメントに簡単に巻きつけられるように、可撓性であると同時に強い。ケーブルがレンズ・エレメントに巻きつけられた後、レンズの周りのケーブルのかみ合いを維持するために様々なタイプのロッキング・ユニットまたはアセンブリが使用されることができる。ケーブルが、余分なケーブルが切り落されるように選択された特定のレンズの周りにぴったりと合うサイズなので、このかみ合いが特に重要である。
【０００９】
従って、改良された特注アイウェア・アセンブリを提供することが本発明の目的である。
また、改良されたアイウェアフレーム・アセンブリを提供することが、また、本発明の目的である。
本発明のもう1つの目的は、アイワイヤ・ロッキング・メカニズムを有する改良されたアイウェア・アセンブリを提供することである。
本発明のさらなる目的は、製造及び購入に費用があまりかからずしかも使いやすいサングラス・クリップ・アセンブリを提供することである。
本発明の別の目的は、マルチフィラメント・ケーブルワイヤを使用している改良された眼鏡フレーム設計を提供することである。
本発明のさらに別の目的は、従来の工具を使用して製造される改良されたアイウェア・アセンブリを提供することである。
本発明のさらなる目的は、比較的短期間に眼鏡技師によって作られることができる改良されたアセンブリを提供することである。
【００１０】
本発明のさらに他の目的及び利点は、部分的には自明であり、部分的には以下の説明から明らかになるであろう。
本発明は、従って、以下の詳細な開示において例示される特徴、特性及びエレメントの関係を有するシステム及びアセンブリを備えており、そして、本発明の範囲はクレームにおいて示されている。
本発明をさらによく理解できるように、添付図面に関連して以下の説明を参照する。
【発明を実施するための最良の形態】
【００１１】
最初に図１を参照すると、全体が参照番号１１で示され、本発明の特注クリップ・アセンブリを作る際に使用されるクリップ・エレメントまたはクリップ・ユニットが示されている。クリップ・エレメント１１は、金属、合金または金属合成組成物から作られるテンションバー１３、及びテンションバー１３のそれぞれの端部からアーチ型に伸びる１対の可撓性かつ屈曲性のワイヤ１５を含む。各ワイヤ１５は、金属、合金または金属合成物から作られ、以下に説明する通り、サングラスのレンズに簡単に巻きつけることができるように非常に柔軟に構成されている。各ワイヤは、以下でさらに説明する通り、組み立て中に、テンションバー１３の両端に配置される対応するねじロッキング・ユニット１７を通して送られる自由端１６を有している。
【００１２】
次に図３並びに図４を参照すると、各ワイヤ１５がさらに良く示されている。ワイヤ１５は、後で詳細に説明する通りマルチフィラメント・ケーブルワイヤとすることができ、縦に伸びる主壁１０及び縦に伸びる１対の側壁１２を備えており、本発明のサングラス・クリップ・アセンブリ製造中、これらは一緒になって、サングラスのレンズ１９（図４参照）の縁壁を包むため及びその他の方法で捉えるためのサイズとされている。前壁１０は、以下で説明する通り、本発明のシステムの最終組み立て中に（再び図４参照）、ロッキング・ユニット１７のねじによって捉えられる複数の連続する溝２３が形成されている。
【００１３】
次に、特に図４並びに図６を参照すると、ねじロッキング・ユニット１７の各々がより詳細に示されている。ねじロッキング・ユニット１７は、各々、テンションバー１３（図１参照）の一端に固定され、管状ハウジング３０によって形が定められる。ハウジング３０は、ステンレス鋼、カーバイド、チタンまたは、その他の高性能金属で作られ、複数の外側の環状ねじ山３９が形成されるボディ３４及び単一の溝３７が形成される一端の頭３５を有する全体が参照番号３３で示される金属ねじ部材を中に納めている。溝３７は、後で説明する通り、ワイヤ１５をねじ部材でロックするようにねじ部材３３を選択的に回すために従来のねじ回しの端を受け入れるサイズである。
【００１４】
ロッキング・ユニット１７のハウジング３０には、この通路はねじ部材３３が回されるとき選択的にワイヤ１５の自由端１６を受け入れるサイズであるところのハウジングを貫通する通路４０が形成されている。ハウジング３０は、また、ねじユニット３３の並進運動がどちらかの側方に滑ったりまたは動いたりするのを防止するところの一体的に形成される止め具４１を含んでいる。
【００１５】
図５は、本発明のサングラス・クリップ・アセンブリが使用中に従来の眼鏡に配置され或いは着用されるときにその係合の重なり合いを維持するために使用されるフック・アセンブリ２１の各々の第一の実施形態をさらに詳細に示している。フック・アセンブリ２１は、参照番号２２で示される第一のサングラス・フック・エレメント及び２４で示される第二の眼鏡フック・エレメントを含んでいる。フック・エレメント２２はワイヤ１５が通されるスロット２７を含み（また図２も参照）、サングラス・レンズ１９の下にはまるサイズである。
【００１６】
フック・アセンブリ２１の眼鏡フック・エレメント２４には、図５に示される通り、眼鏡フレーム２９が安定して乗るように周りにクッション２５が配置される。図５から理解できるように、フック・アセンブリ２１は、使用中に本発明のサングラス・クリップ・アセンブリが処方眼鏡の眼鏡フレームに整合されることを可能にしている。
【００１７】
組み立てにおいて、眼鏡技師は、まず着用者の通常の眼鏡のレンズとサイズ、形状及びデザインが同じ１対のサングラス・レンズ１９を用意する。それから、図１に示されるクリップ・ユニット１１を使って、各ワイヤ１５がまずフック・アセンブリ２１のスロット２７に通され、そしてそれからレンズ１９の周りに巻きつけられる。それから、各ワイヤ１５の自由端部１６が対応するロッキング・ユニット１７の通路４０に差し込まれる（図４参照）。前述の通り、ねじ部材３３を回すことによって、ねじ山３９は、端部１６をロッキング・ユニット１７にロックするために、連続溝２３に沿ってワイヤ１５の端部１６とかみ合いまたはこれを捉える。その結果、図２に示される特注サングラス・クリップ・アセンブリが生産される。
【００１８】
代わって、後で説明する通り、ロッキング・ユニット１７は、レンズ用開口がマルチフィラメント・ケーブルワイヤのような可撓性のアイワイヤによって形成される眼鏡フレームの組み立てに使用されることができる。
【００１９】
図６及び図７は、全体が２１’で示されるフック・アセンブリの代替バージョンをより詳細に示している。フック・アセンブリ２１’は、第一のサングラス・フック・エレメント２２’及び第二の眼鏡フック・エレメント２４’を備えている。フック・エレメント２２’は、図６に示される通り、ワイヤ１５と一体的に、これと連続して形成されている。フック・エレメント２４’は図５に示されるフック・エレメント２４と同じであり、その周りに配置されているクッション２５’を有している。この実施形態においては、１対のフック・アセンブリ２１’が使用される。本発明の組み立ては上述の通りである。
【００２０】
実施形態に関してまたは図１−７に関して、または眼鏡フレームの組み立て中のロッキング・ユニットの使用に関して理解されるように、多くの場合、組み立て中、余分なワイヤがでる。一般に、余分なワイヤは、第一にサングラスのレンズの周りに巻きつけてその端部でそれぞれのロッキング・ユニット内にロックするのに充分である長さに切り取られる。
【００２１】
次に図８及び図９を参照すると、本発明の特注サングラス・クリップ・アセンブリを作るために使用される全体が１１１で示されるクリップ・エレメントまたはユニットの第二の実施形態が示されている。クリップ・エレメント１１１は、金属、合金または金属合成組成物から作られるテンションバー１１３及びテンションバー１１３のそれぞれの端からアーチ形に伸びる１対の可撓性かつ屈曲性のワイヤ１１５を含んでいる。各ワイヤ１１５は、マルチフィラメント・ケーブルワイヤのようなマルチフィラメント材料から作られ、金属または合金だけでなく、周知の通りナイロン、ポリマー、樹脂、天然繊維またはその他の天然または人工材料から作られることが望ましい。ワイヤ１１５は、光ファイバ材料から作ることもできる。望ましいマルチフィラメント材料は、複数のフィラメント１１８（図１４参照）から成りケーシング１２０の中に保持されるマルチフィラメント・ケーブルワイヤであり、単なる例として挙げれば、釣り用の鉤素ワイヤから選択することができる。この種のケーブルは非常に可撓性がありかつ強いので、以下に説明する通り、確実なやり方でサングラス・レンズに巻きつけることができる。マルチフィラメント・ケーブルワイヤは０．４ｍｍから１．６ｍｍまでの間の厚みを持つことが望ましく、０．４ｍｍから０．６ｍｍまでの間であることがさらに望ましい。本発明のシステムに使用されるマルチフィラメント・ケーブルワイヤは、従来のワイヤに比べて可撓性及び強さに優れ、後で説明する通り組み立てを容易にしている。
【００２２】
各ワイヤ１１５は、組み立て中、テンションバー１１３の端部に配置され取り付けられる対応するロッキング・ユニット１１７に通される自由端部１１６を有している（図９参照）。ワイヤ１１５は、本発明のサングラス・クリップ・アセンブリの生産中、サングラス・レンズ１１９に巻きつけその外縁１２１を捉えるためのサイズにされている（図１０参照）。注目すべきは、サングラス・レンズ１１９の外縁１２１に溝１２２が形成され（図１３及び図１４参照）、この溝に沿ってワイヤ１１５がぴったりと受け入れられることである。
【００２３】
図９及び図１０に示される通り、ロッキング・ユニット１１７は、テンションバー１１３の端部の一方に固定され、ハウジング１３０によってその形を定められる。ハウジング１３０はルーフ１３８を含み、ステンレス鋼、カーバイド、チタンまたはその他の高性能金属で作られる。ハウジング１３０には、ワイヤ１１５の自由端１１６を選択的に受け入れるサイズのハウジングを通り抜けている通路１４０に通じる開口１３２が形成される。通路１４０は、ルーフ１３８の後端に配置される上部スロット１３６を含む開口１３４に通じる。重要なことは、旋回可能な可撓性の膜１４２がハウジングの開口１３２に隣接してルーフ１３８から垂れ下がり、そして別の状況では、通路１４０の内部に配置されている。
【００２４】
組み立ての際、眼鏡技師は、まず、着用者の通常の眼鏡のレンズ及び（または）フレームのサイズ、形状及びデザインと同様の１対のサングラス・レンズ１１９を用意する。それから、図８−図１４に示されるクリップ・ユニット１１１を用いて、ワイヤ１１５がレンズ１１９に巻きつけられ、そしてその自由端部１１６が対応するロッキング・ユニット１１７の開口１３２を通って通路１４０に送られる。それから、図１０に示される通り、ワイヤ１１５の自由端部１１６は開口１３４を通って上のスロット１３６を通って送られる。
【００２５】
ロッキング・ユニット１１７内でワイヤ端部１１６をロックするために、止めねじ１４４が使用される。止めねじ１４４は、図１２に最もよく示されている通り、ハウジング１３０後部のねじ孔１４６を通って突き通すように挿入され且つ縦方向に通路１４０を通る。ねじ１４４は同じ位置において固定させるためにワイヤ１１５を締め付ける先端または端部を有している。さらに、ワイヤ１１５に対するねじ１４４のこのような締め付けによって、膜１４２は上向きに曲がりまたは回転して、それによって、ワイヤ１１５の反対側に沿ってワイヤ１１５の端部１１６をやはり締め付ける。その結果として、ワイヤ１１５は、ロッキング・ユニット１１７のハウジング１３０内で確実な固定したポジションに維持される。その代わりに、ロッキング・ユニット１１７は、後に説明するように、レンズ用開口がマルチフィラメント・ケーブルのような可撓性アイワイヤで形成されるところの眼鏡フレーム自体の組み立てにおいて使用されることができる。
【００２６】
図８−図１４の実施形態に関して理解されるように、クリップ・エレメントの組み立てに使用されるか眼鏡フレームの組み立てに使用されるかに関係なく、余分なワイヤを取り除くために、ねじ１４４が、ワイヤ１１５の端部１１６に対する締め付けのために通路１４０内部に差し込まれたら、図１２に示されるように、余分なワイヤは、ワイヤ１１５がスロット１３６内に納まりルーフ１３８と同一平面上になるように、切り落とされまたは取り除かれる。
【００２７】
その代わりに、以下に説明する通り、ロッキング・ユニット１１７は、レンズ用開口がマルチフィラメント・ケーブルのような可撓性のアイワイヤで形成されている眼鏡フレーム自体の組み立てにおいて使用されることができる。
【００２８】
次に図１５、図１６及び図１７を参照すると、本発明に従って作られる特別設計の眼鏡フレームが、全体として参照番号２１１で示されている。眼鏡フレーム２１１は、フレーム・アセンブリ２１３、１対のイヤピース或いは眼鏡のつる２１５、ブリッジ或いはノーズピース２１７そして１対のレンズ２２１を受け入れるためのレンズ用開口２１９を備えている。各レンズ用開口２１９と対応する眼鏡のつる２１５との間には、ねじ２２７が差し込まれることができる１対の孔２２５を有する１対のヒンジバー２２３が伸びている。イヤピースまたは眼鏡のつる２１５の各々は、フレーム・アセンブリ２１３のそれぞれの端部でヒンジバー２２３の間に蝶番式に受け入れられる。各眼鏡のつる２１５は、ヒンジバー２２３の外側の孔２２５と整合する孔２２９を含んでいる。それから、図１５に示される通り、ねじ２２７は、眼鏡のつる２１５がフレーム・アセンブリ２１３の端部に蝶番式にかみ合わされるように、全ての３つの孔に通される。
【００２９】
重要であるのは、レンズ用開口２１９の各々が、望ましくは、金属或いは合金だけでなく、周知の通りナイロン、ポリマー、樹脂、天然繊維またはその他の天然または人工材料から作られるマルチフィラメント・ケーブルのようなマルチフィラメント材料から作られるケーブル２２２を含んでいるということである。望ましいマルチフィラメント材料は、複数のフィラメント２３３（図１６参照）を備え且つケーシング２３５の中に保持されるマルチフィラメント・ケーブルである。ケーブルは、容易に確実なやり方でレンズ２２１の周りに巻きつけられることができ、且つ、以下に説明する通り、どのような形状またはサイズのレンズにも合わせて長さにおいて調節できるように（例えば、余分なケーブルを切り落とすことによって）、非常に可撓性があり強い。フレーム・アセンブリ２１３が様々な形状またはサイズのレンズとして設計されるとき、ケーブル２２２は簡単に取り換えられて、新しいレンズの周りに確実に巻きつけるための形状に成形されることができる。好ましくは、マルチフィラメント・ケーブル２２２は、約０．１ｍｍから３．０ｍｍまでの間の厚さを有し、そしてより好ましくは、０．１ｍｍから０．６ｍｍまでの間の厚さを有する。本発明のこの見地において使用されるマルチフィラメント・ケーブルは、従来のワイヤと比べて優れた可撓性及び強さを有している。
【００３０】
図１６及び図１７に示されるように、レンズ用開口２１９内に受け入れられる各レンズ２２１は、レンズ用開口２１９を形成するマルチフィラメント・ケーブル２２２がぴったりと隠れるように受け入れられる溝２３１を形成している外側縁を有している。マルチフィラメント・ケーブルの端部は、図１７に示される通り、ヒンジバー２２３に溶接されていることが注目される。
【００３１】
図１５−図１７で説明されている眼鏡フレームは、眼鏡技師/技師が組み立てるのにより簡単であり、それは縁なし使用の外見を与え、それはモノフィラメント・ケーブルまたはワイヤよりずっと強く、それは様々なサイズ及び構成のレンズ形態を可能にし、それは優れた可撓性を有し、それは従来のフレームよりずっと軽いので、有利である。
【００３２】
図１８−図２１を参照すると、本発明に従って作られ全体として３１１で示される特別設計の眼鏡フレームの代替実施形態が示されている。眼鏡フレーム３１１は、フレーム・アセンブリ３１３、１対のイヤピース/眼鏡のつる３１５、ブリッジ/ノーズピース３１７及び１対のレンズ３２１を受け入れるためのレンズ用開口３１９を備えている。各レンズ用開口３１９からは、各々ねじ３２７が差し込まれることができる１対の孔３２５A及び３２５Bを有する１対のヒンジバー３２３A及び３２３Bが伸びている。各イヤピース/眼鏡のつる３１５は、フレーム・アセンブリ３１３のそれぞれの端部でヒンジバー３２３Aと３２３Bの間に且つ図１５−図１７に示されている実施形態の場合と同様に蝶番式に入れられる。
【００３３】
重要なことは、各レンズ用開口３１９が、図１５−図１７の実施形態に関連して詳細に説明されているように、マルチフィラメント・ケーブルのようなマルチフィラメント材料から作られている端部３２４A及び３２４Bを有するケーブル３２２を備えているということである。図１９及び図２０に示される通り、レンズ３２１はマルチフィラメント・ケーブル３２２によって形成されるレンズ用開口内に受け入れられる。レンズ３２１は、レンズ用開口３１９を形成するマルチフィラメント・ケーブル３２２がぴったりと隠れるように受け入れられる溝３３１（図２１参照）が形成される外側縁を有している。
【００３４】
図１５−図１７の実施形態に関連して説明されているように、マルチフィラメント・ケーブル３２２の端部をヒンジバー３２３A及び３２３Bに溶接するのではなくむしろ、ケーブル３２２の端部３２４A、３２４Bは、例えば図２０及び図２２に示されているように、「ボール＆チェーン」ロッキング設計によってバー３２３A及び３２３Bに結合される。特に、図２０及び図２１に最もよく示されているように、上部ヒンジバー３２３Aは、開口３４５によってヒンジバー３２３Aの下面からアクセスできる長方形に設計されている凹部３４１が形成されている。凹部３４１からヒンジバー３２３Aの上面まで、マルチフィラメント・ケーブル３２２の端部３２４Aを受け入れるためのサイズの角度のある方向に向けられた管状孔３４７が伸びている。
【００３５】
組み立てにおいて、ケーブル３２２の端部３２４Aは長方形状のアンカー・ブロック３４３（図２０−図２１参照）にかみ合わされて固定される。従って、ケーブル３２２は、ケーブル３２２の端部３２４Aを凹部３４１内でロックするために、ヒンジバー３２３Aの下面から離れる方向に、凹部３４１内にぴったりとかみ合わせられるブロック３４３を伴って孔３４７の中を通される。一方、ケーブル３２２の端部３２４Bは、図２０及び図２１に最もよく示されているように、下側のヒンジバー３２３Bに形成されており且つその前面底部縁に近接して始まっている波形のワイヤ用開口３４９の中をくねって通されている。結果として、ケーブル３２２の端部３２４Ｂは下側ヒンジバー３２３Bの場所でロックされている。
【００３６】
ケーブル３２２がレンズ３２１の周りできちんとフィットするように余分なケーブル３２２は端部３２４Bに沿って切り落されるか或いは取り除かれることができる。
【００３７】
ヒンジバー３２３A及び３２３Bの前端部には、図２１にもっともよく示されているように、ニップル・エレメント３５１及び３５３が形成されている点が注目される。ニップル・エレメント３５１及び３５３は、組み立ての際、相互に垂直に整合され、全体のアセンブリに対するヒンジバー３２３A及び３２３Bのかみ合いを容易にするために、レンズ３２１の外側縁に沿って且つケーブル３２２の端部３２４Aと３２４Bの間に形成される溝３３１にぴったりと受け入れられる。
【００３８】
次に図２２を参照すると、ケーブル３２２の端部３２４Aに固定的に取り付けられるアンカーボール部材３６３を受け入れるための球形凹部３６５が上部ヒンジバー３２３Aに形成されているところの「ボール＆チェーン」ロッキング設計の代替案が示されている。その凹部３６５は、本発明の概念から逸脱することなく、同様の形態の対応する部材３６３を受け入れるために三次元の形態を持つことができる点が注目される。その代わりに、ケーブル３２２の端部３２４Aがアンカー部材に固定されることに変えて、ヒンジバー３２３Aに形成される凹部３６５に端部３２４Aをロックするために、端部３２４Aは単に結び目状に結ばれることができる。
【００３９】
図２３−図２４を参照すると、本発明に従って作られ全体として４１１で示される眼鏡フレームのさらに別の実施形態が示される。眼鏡フレーム４１１は、フレーム・アセンブリ４１３、１対のイヤピース/眼鏡のつる（図には示されていない）、ブリッジ/ノーズピース４１７及び１対のレンズ４２１（一方のみ示されている）を受け入れるためのレンズ用開口を備えている。前のものと同様、各レンズ用開口は、図１５−図１７の実施形態に関連してより詳細に説明されているところのマルチフィラメント・ケーブルのようなマルチフィラメント材料から作られるケーブル４２２を備えている。ケーブル４２２によって形成されるレンズ用開口に受け入れられる各レンズ４２１は、マルチフィラメント・ケーブル４２２がぴったり隠れるように受け入れられる溝４３１が形成される外側縁部を有している。
【００４０】
図２３-図２４の実施形態においては、上で説明した図１５−図１７の実施形態と異なり、ブリッジ/ノーズピース４１７は両端で下向きに伸びていて且つ対応するレンズ４２１の外側縁に接する可撓性の突起４１９を含んでいる。各可撓性突起４１９は、レンズ４２１の溝４３１内にかみ合うサイズとされ且つケーブル４２２の間で、縦に伸びているワイヤ形ニップル・ガイド４２７が形成されており、そして、ニップル４２７の両端には１対の穴４２５が配置されている。ケーブル４２２（レンズ用開口部を形成している）を選択的にノーズピース４１７に結合するために、ケーブル４２２は、図２３に最もよく説明されているように、穴４２５を通されている。
【００４１】
図２３-図２４に示される設計の代替案として、またケーブル４２２を従来の設計のノーズピース/ブリッジ４４７に結合するために、後者には、図２５−図２６に最もよく示されているように、ケーブル４２２がそれを通るところのチャネルまたはスロット４４１が形成される。図２７においては、ブリッジに結合するためのさらなる代替メカニズムを提供するために、ケーブル４２２は、２つのセグメント４２２A及び４２２Bに形成され且つその端部でブリッジ４４７にはんだ付けされている。
【００４２】
以上の説明から、上に説明された目的は、これまでの説明から明らかにされた中で、効果的に達成され、そして、ある種の変更が上記のシステム及び製品において本発明の精神及び範囲から逸脱することなく作られることができるが、以上の説明に含まれるすべてのマターは、限定的にではなく例示として解釈されるべきことが分かるだろう。
【００４３】
また、以下のクレームは、ここで説明されている本発明の包括的及び固有の特徴の全てをカバーしようとするものであり、そして、本発明の範囲に関する全ての記述は、言葉の問題としてこれらの間に属すると言えるかも知れない。
【図面の簡単な説明】
【００４４】
【図１】本発明のサングラス・クリップ・アセンブリの未完成クリップ・ユニットの正面図。
【図２】本発明の完成サングラス・クリップ・アセンブリの正面図。
【図３】本発明のサングラス・クリップ・アセンブリに使用されるワイヤの一部の拡大斜視図。
【図４】本発明のサングラス・クリップ・アセンブリのねじロッキング・ユニットの断面図。
【図５】本発明のサングラス・クリップ・アセンブリのボトム・フック・ユニットを示す断面図。
【図６】サングラス・クリップ・アセンブリの側面図。
【図７】図５に示されるフック・ユニットの代替案の断面図。
【図８】本発明のサングラス・クリップ・アセンブリにおける未完成クリップ・ユニットの部分の第二実施形態を示す斜視図。
【図９】図８の線９-９に沿って見た断面図。
【図１０】本発明のサングラス・クリップ・アセンブリの第二の実施形態の組み立てを示す図９と同様の断面図。
【図１１】本発明の完成したサングラス・クリップ・アセンブリの第二実施形態の部分の斜視図。
【図１２】図１１の線１２-１２に沿って見た断面図。
【図１３】図１２の線１３-１３に沿って見た断面図。
【図１４】図１１の線１４-１４に沿って見た断面図。
【図１５】本発明に従って作られる眼鏡フレームの斜視図。
【図１６】図１５の線１６-１６に沿って見た断面図。
【図１７】図１５の線１７-１７に沿って見た断面図。
【図１８】本発明に従って作られる眼鏡フレームの代替の実施形態の斜視図。
【図１９】図１８に示される眼鏡フレームの上面図。
【図２０】図１８の線２０-２０に沿って見た断面図。
【図２１】図１８に示される眼鏡フレームの部分の分解斜視図。
【図２２】本発明に従って作られる眼鏡フレームの代替の実施形態の部分の分解斜視図。
【図２３】本発明に従って作られる眼鏡フレームの追加の実施形態のノーズピース及びレンズ部分を示す前面斜視図。
【図２４】図２３のアセンブリのノーズピース及びレンズを示す断面図。
【図２５】本発明の眼鏡フレームの更なる実施形態の斜視図。
【図２６】図２５の線２６-２６に沿って見た断面図。
【図２７】本発明に従って作られる眼鏡フレームのさらに別の実施形態のノーズピース及びレンズ部分の断面図。
【図１】
2005537522.tif 000003
【図２】
2005537522.tif 000004
【図３】
2005537522.tif 000005
【図４】
2005537522.tif 000006
【図５】
2005537522.tif 000007
【図６】
2005537522.tif 000008
【図７】
2005537522.tif 000009
【図８】
2005537522.tif 000010
【図９】
2005537522.tif 000011
【図１０】
2005537522.tif 000012
【図１１】
2005537522.tif 000013
【図１２】
2005537522.tif 000014
【図１３】
2005537522.tif 000015
【図１４】
2005537522.tif 000016
【図１５】
2005537522.tif 000017
【図１６】
2005537522.tif 000018
【図１７】
2005537522.tif 000019
【図１８】
2005537522.tif 000020
【図１９】
2005537522.tif 000021
【図２０】
2005537522.tif 000022
【図２２】
2005537522.tif 000023
【図２１】
2005537522.tif 000024
【図２３】
2005537522.tif 000025
【図２４】
2005537522.tif 000026
【図２５】
2005537522.tif 000027
【図２６】
2005537522.tif 000028
【図２７】
2005537522.tif 000029
【手続補正書】
【提出日】平成17年3月7日(2005.3.7)
【手続補正１】
【補正対象書類名】特許請求の範囲
【補正対象項目名】全文
【補正方法】変更
【補正の内容】
【特許請求の範囲】
【請求項１】
任意のサイズ、形状または寸法の外周を有している少なくとも１つのアイウェア・レンズと、前記外周の周りに巻きつけるためのマルチフィラメント・ケーブルとを備えているアイウェア・システム。
【請求項２】
前記の少なくとも１つのレンズの前記外周は、それに沿って前記ケーブルがかみ合って受け入れられる溝が形成されている縁を有していることを特徴とする請求項１に記載のシステム。
【請求項３】
前記ケーブルは、金属または合金で作られていることを特徴とする請求項１または２に記載のシステム。
【請求項４】
前記ケーブルは、ナイロン、ポリマー、樹脂、天然ケーブル、天然繊維及び光ファイバ材料を含むグループから選択される材料で作られることを特徴とする請求項１または２に記載のシステム。
【請求項５】
前記ケーブルは、０．１ｍｍから３．０ｍｍまでの厚さを有していることを特徴とする請求項１または２に記載のシステム。
【請求項６】
前記ケーブルは、０．１ｍｍから０．６ｍｍまでの厚さを有していることを特徴とする請求項１または２に記載のシステム。
【請求項７】
前記ケーブルは、０．４ｍｍから１．６ｍｍまでの厚さを有していることを特徴とする請求項１または２に記載のシステム。
【請求項８】
前記ケーブルは、ケーシングの中に保持される複数のフィラメントを備えていることを特徴とする請求項１または２に記載のシステム。
【請求項９】
前記ケーブルは、選択的に交換可能であることを特徴とする請求項１から８のいずれか１つに記載のシステム。
【請求項１０】
前記ケーブルは、前記レンズ外周の寸法の変化に応じて寸法を調節できるところの長さを有していることを特徴とする請求項１から９のいずれか１つに記載のシステム。
【請求項１１】
前記少なくとも１つのアイウェア・レンズは、１対のアイウェア・レンズのうちの一方であり、前記システムはさらに前記レンズの間に配置されるノーズブリッジまたはテンションバーを含んでいることを特徴とする請求項１から１０のいずれか１つに記載のシステム。
【請求項１２】
第一のマルチフィラメント・ケーブルは、前記レンズのうち一方の外周の周りに巻きつけられており、且つ第二のマルチフィラメント・ケーブルは、前記レンズのうち他方の外周の周りに巻きつけられていることを特徴とする請求項１１に記載のシステム。
【請求項１３】
前記一対のアイウェア・レンズの各々は、それに沿って前記ケーブルがかみ合って受け入れられる溝が形成されている縁を有していることを特徴とする請求項１１または１２に記載のシステム。
【請求項１４】
さらに、前記一対のアイウェア・レンズのうち一方に各々旋回可能に取り付けられている１対のイヤピースを含んでいることを特徴とする請求項１１から１３のいずれか１つに記載のシステム。
【請求項１５】
前記一対のアイウェア・レンズの各々のアイウェア・レンズは、そこから外向きに伸びており且つ前記対応するイヤピースに旋回可能に接続されているヒンジ部材を有していることを特徴とする請求項１４に記載のシステム。
【請求項１６】
さらに、前記外周の周りにしっかりと巻きつけられる前記ケーブルを維持するためのロッキング・メカニズムを備えていることを特徴とする請求項１から１０のいずれか１つに記載のシステム。
【請求項１７】
前記ロッキング・メカニズムは、ねじロッキング・アセンブリを備えていることを特徴とする請求項１６に記載のシステム。
【請求項１８】
前記ねじロッキング・メカニズムは、前記巻きつけられたケーブルと選択的にかみ合うためのねじエレメントを備えていることを特徴とする請求項１７に記載のシステム。
【請求項１９】
前記ケーブルは、前記ケーブルの端部が選択的に前記ロッキング・メカニズムに沿った位置でかみ合わせられるように、前記ロッキング・メカニズムを通って送られることができる端部を有していることを特徴する請求項１６から１８のいずれか１つに記載のシステム。
【請求項２０】
さらに、前記ケーブルが外れるのを防止するためのセイフティ・エレメントを含んでいることを特徴とする請求項１９に記載のシステム。
【請求項２１】
前記セイフティ・エレメントは、前記ロッキング・メカニズムと結合されている可撓性の膜を備えていることを特徴とする請求項２０に記載のシステム。
【請求項２２】
１対のアイウェア・レンズを含んでおり、そして、第一のロッキング・メカニズムは、前記一対のアイウェア・レンズのうち一方の外周の周りに前記第一のケーブルを維持しており、且つ第二のロッキング・メカニズムは、前記一対のアイウェア・レンズのうち他方の外周の周りに第二のケーブルを維持していることを特徴とする請求項１６から２０のいずれか１つに記載のシステム。
【請求項２３】
前記レンズの間に配置されているノーズブリッジまたはテンションバーを備えており、且つ、前記ロッキング・メカニズムのうち少なくとも一方は前記ノーズブリッジまたはテンションバーに沿って或いはその付近に配置されていることを特徴とする請求項２２に記載のシステム。
【請求項２４】
さらに、前記一対のアイウェア・レンズのうちの一方に各々旋回可能に取り付けられている一対のイヤピースを含んでいることを特徴とする請求項２２または２３に記載のシステム。
【請求項２５】
前記一対のアイウェア・レンズの各々のアイウェア・レンズは、そこから外向きに伸びており且つ前記対応するイヤピースに旋回可能に接続されているヒンジ部材を有していることを特徴とする請求項２４に記載のシステム。
【請求項２６】
前記ヒンジ・エレメントは、前記ロッキング・メカニズムを組み込んでいることを特徴とする請求項２５に記載のシステム。
【請求項２７】
前記アイウェア・システムは、眼鏡クリップ・アセンブリであることを特徴とする請求項１から１３、１６または１７のいずれか１つに記載のシステム。
【国際調査報告】
2005537522.tif 000030